(57)【特許請求の範囲】
【請求項１】
絶縁部と、
それぞれ前記絶縁部に枢設され、電気的に絶縁される一対の回転部と、
互いに平行し間隔を空けてそれぞれ対応する各前記回転部に設置されて、前記絶縁部に対し突出位置と収納位置との間で回転可能となっており、導通性を有する一対の端子と、
一対の前記端子に対応して前記絶縁部に設置され、それぞれから一対の挟持爪が延設されている一対の電極と、を備え、
一対の前記端子が回転する際、電気的な導通が持続されるよう、一対の前記挟持爪により対応する前記端子を持続的に挟持することが可能である、ことを特徴とする電源プラグ。
【請求項２】
各前記端子の一端には端縁の断面形状が円弧状に形成された曲部を有し、一対の前記挟持爪は前記曲部を持続的に挟持することが可能である、ことを特徴とする請求項１に記載の電源プラグ。
【請求項３】
各前記電極には弾性片が延設されており、
一対の前記端子が収納位置にあるとき、前記端子は対応する前記弾性片と分離する、ことを特徴とする請求項１に記載の電源プラグ。
【請求項４】
各前記電極には弾性片が延設されており、
一対の前記端子が突出位置にあるとき、前記端子は対応する前記弾性片を押圧する、ことを特徴とする請求項２に記載の電源プラグ。
【請求項５】
各前記端子にはフランジが延設されており、
一対の前記端子が突出位置にあるとき、前記フランジは対応する前記弾性片を押圧する、ことを特徴とする請求項４に記載の電源プラグ。
【請求項６】
各前記端子の前記フランジと前記曲部とは、隣接して形成されている、ことを特徴とする請求項５に記載の電源プラグ。
【請求項７】
各前記曲部の曲げ角度は９０°以上である、ことを特徴とする請求項２に記載の電源プラグ。
【請求項８】
絶縁部と、
互いに平行し間隔を空けて前記絶縁部に枢設されている一対の端子と、
一対の前記端子に対応して前記絶縁部に設置され、それぞれから一対の挟持爪が延設されている一対の電極と、を備え、
前記挟持爪と前記端子とが接触して電気的導通を生じ、一対の前記端子が回転する際、電気的導通が持続されるよう、一対の前記挟持爪により対応する前記端子を持続的に挟持することが可能である、ことを特徴とする電源プラグ。
【請求項９】
各前記端子の一端には端縁の断面形状が円弧状に形成された曲部を有し、一対の前記挟持爪は前記曲部を持続的に挟持することが可能である、ことを特徴とする請求項８に記載の電源プラグ。
【請求項１０】
各前記電極には弾性片が延設されており、
一対の前記端子が収納位置にあるとき、前記端子は対応する前記弾性片と分離し、
一対の前記端子が突出位置にあるとき、前記端子は対応する前記弾性片を押圧する、ことを特徴とする請求項９に記載の電源プラグ。
【請求項１１】
各前記端子にはフランジが延設されており、
一対の前記端子が突出位置にあるとき、前記フランジは対応する前記弾性片を押圧する、ことを特徴とする請求項１０に記載の電源プラグ。
【請求項１２】
各前記端子の前記フランジと前記曲部とは、隣接して形成されている、ことを特徴とする請求項１１に記載の電源プラグ。
【請求項１３】
各前記曲部の曲げ角度は９０°以上である、ことを特徴とする請求項９に記載の電源プラグ。
【請求項１４】
絶縁部を備える電源プラグであって、
前記絶縁部は、
互いに対応して設置されている一対の端子及び一対の電極を備え、
各前記電極には、対応する前記端子と接触して電気的導通を生じる一対の挟持爪が延設されており、
一対の前記端子が回転する際、電気的導通が持続されるよう、一対の前記挟持爪により対応する前記端子を持続的に挟持することが可能である、ことを特徴とする電源プラグ。
【請求項１５】
各前記端子の一端には端縁の断面形状が円弧状に形成された曲部を有し、
前記電極は、前記曲部と持続的に接触することが可能である、ことを特徴とする請求項１４に記載の電源プラグ。
【請求項１６】
各前記電極には弾性片が延設されており、
各前記端子にはフランジが延設されており、
一対の前記端子が突出位置にあるとき、前記フランジは対応する前記弾性片を押圧する、ことを特徴とする請求項１５に記載の電源プラグ。
【請求項１７】
各前記端子の前記フランジと前記曲部とは、隣接して形成されている、ことを特徴とする請求項１６に記載の電源プラグ。
【請求項１８】
各前記曲部の曲げ角度は９０°以上である、ことを特徴とする請求項１５に記載の電源プラグ。
【発明の詳細な説明】
【技術分野】
【０００１】
本発明は、電源プラグに係り、特に、使用時に端子の持続的導通が実現できる電源プラグに関する。
【背景技術】
【０００２】
従来の電源プラグは、通常、変圧器と一体に設計され、その端子が回転式に設計される場合が多く、そのハウジング上には、端子が回転して収容されることが可能な収容スペースが設計されている。設計上、従来の電源プラグは、端子に一つのフランジが形成されており、そのフランジがハウジング内に配置され、フランジに対応する電極がハウジングの中に設置されている。端子は、突出した場合のみそれのフランジが電極を押圧して、端子と電極とが導通されるものの、収容スペースに収容された場合には、端子が電極から離れて、端子と電極との導通が遮断される。このため、電源プラグが緩んだ場合に、端子の回転のため導通が遮断されたり、端子と電極とが接触して導通する瞬間に、火花が出たりすることがある。
【発明の概要】
【発明が解決しようとする課題】
【０００３】
このため、本発明の目的は、従来技術の上記問題点を解決することができる電源プラグを提供することである。
【課題を解決するための手段】
【０００４】
本発明は、上記目的を達成するために、使用時に端子が持続的導通することができる電源プラグを提供する。
【０００５】
本発明による電源プラグは、絶縁部、一対の回転部、一対の端子及び一対の電極を備えている。一対の前記回転部は、それぞれ前記絶縁部に枢設され、電気的に絶縁される。一対の前記端子は、互いに平行し間隔を空けてそれぞれ対応する各前記回転部に設置されて、前記絶縁部に対し突出位置と収納位置との間で回転可能となっており、導通性を有する。一対の前記電極は、一対の前記端子にそれぞれ対応して前記絶縁部に設置され、それぞれから一対の挟持爪が延設されている。一対の前記端子が回転する際、電気的な導通が持続されるよう、一対の前記挟持爪により対応する前記端子を持続的に挟持することが可能である。
【０００６】
好ましくは、各前記端子の一端には端縁の断面形状が円弧状に形成された曲部を有し、一対の前記挟持爪は前記曲部を持続的に挟持することが可能である。また好ましくは、各前記電極には弾性片が延設されており、一対の前記端子が収納位置にあるとき、前記端子は対応する前記弾性片と分離し、一対の前記端子が突出位置にあるとき、前記端子は対応する前記弾性片を押圧する。また好ましくは、各前記端子にはフランジが延設されており、一対の前記端子が突出位置にあるとき、前記フランジは対応する前記弾性片を押圧する。また好ましくは、各前記端子の前記フランジと前記曲部とは、隣接して形成されている。また好ましくは、各前記曲部の曲げ角度は９０°以上である。
【０００７】
本発明による他の電源プラグは、絶縁部、一対の端子及び一対の電極を備えている。一対の前記端子は、互いに平行し間隔を空けて前記絶縁部に枢設されている。一対の前記電極は、一対の前記端子に対応して前記絶縁部に設置され、それぞれから一対の挟持爪が延設されている。前記挟持爪と前記端子とが接触して電気的導通を生じ、一対の前記端子が回転する際、一対の前記挟持爪により対応する前記端子を持続的に挟持することが可能となって、電気的導通を持続させる。
【０００８】
好ましくは、各前記端子の一端には端縁の断面形状が円弧状に形成された曲部を有し、一対の前記挟持爪は前記曲部を持続的に挟持することが可能である。また好ましくは、各前記電極には弾性片が延設されており、一対の前記端子が収納位置にあるとき、前記端子は対応する前記弾性片と分離し、一対の前記端子が突出位置にあるとき、前記端子は対応する前記弾性片を押圧する。また好ましくは、各前記端子にはフランジが延設されており、一対の前記端子が突出位置にあるとき、前記フランジは対応する前記弾性片を押圧する。また好ましくは、各前記端子の前記フランジと前記曲部とは、隣接して形成されている。また好ましくは、各前記曲部の曲げ角度は９０°以上である。
【０００９】
本発明によるまた他の電源プラグは、絶縁部を備える電源プラグであって、前記絶縁部は、一対の端子及び一対の電極を備えている。一対の前記端子及び一対の前記電極は、互いに対応して設置されている。各前記電極には一対の挟持爪が延設されて、前記挟持爪と前記端子とが接触して電気的導通を生じる。一対の前記端子が回転する際、一対の前記挟持爪により対応する前記端子を持続的に挟持することが可能となって、電気的導通を持続させる。
【００１０】
好ましくは、各前記端子の一端には端縁の断面形状が円弧状に形成された曲部を有し、前記電極は前記曲部と持続的に接触することが可能であり、各前記電極には弾性片が延設されており、各前記端子にはフランジが延設されており、一対の前記端子が突出位置にあるとき、前記フランジは対応する前記弾性片を押圧する。また好ましくは、各前記端子の前記フランジと前記曲部とは、隣接して形成されている。また好ましくは、各前記曲部の曲げ角度は９０°以上である。
【発明の効果】
【００１１】
本発明の電源プラグによれば、電極に挟持爪が形成され、挟持爪により端子を挟持することで電極と端子との電気的接続を持続させ、これにより、端子の回転のため両者の導通が遮断されることがなくなり、両者の導通瞬間に火花がでる問題も発生しない。
【図面の簡単な説明】
【００１２】
【図１】本発明の第一の実施形態に係る電源プラグの分解斜視図である。
【図２】本発明の第一の実施形態に係る電源プラグの斜視図である。
【図３】本発明の第一の実施形態に係る電源プラグの端子が突出した場合の模式図である。
【図４】本発明の第一の実施形態に係る電源プラグの端子が突出した場合の他の模式図である。
【図５】本発明の第一の実施形態に係る電源プラグの端子が収納された場合の模式図である。
【図６】本発明の第一の実施形態に係る電源プラグの端子が収納された場合の他の模式図である。
【図７】本発明の第二の実施形態に係る電源プラグの斜視図である。
【図８】本発明の第二の実施形態に係る電源プラグの端子が突出した場合の模式図である。
【図９】本発明の第二の実施形態に係る電源プラグの端子が収納された場合の模式図である。
【発明を実施するための形態】
【００１３】
以下、図面を参照しながら本発明の実施形態を説明する。
図１及び図２は、本発明の第一の実施形態に係る電源プラグを示し、その電源プラグは、ハウジング１００、絶縁部２００、一対の回転部３００、一対の端子４００及び一対の電極５００を備えている。
【００１４】
本実施形態において、ハウジング１００はプラスチック製の絶縁ケースであることが好ましい。ハウジング１００の外表面には、平行並列した一対の収容溝１１０、及び一対の収容溝１１０に繋がっている連結溝１２０が形成されている。本実施形態において、連結溝１２０の両端は、それぞれ各収容溝１１０の一端と連通することが好ましい。
【００１５】
本実施形態において、絶縁部２００は、プラスチック製のホルダーであることが好ましく、ハウジング１００の中に設けられている。
【００１６】
本実施形態において、回転部３００はプラスチック製のホルダーであることが好ましく、各回転部３００には、凸軸３１０が凸設され、且つ、切り欠き溝３２０が形成されている。各回転部３００は、自体に形成されている凸軸３１０を介して絶縁部２００に枢設される。一対の回転部３００は、その間が連結ロッド３０１により連結されて、連動回転することができる。
【００１７】
図３乃至図６に示すように、一対の端子４００は、互いに平行し間隔を空けて配置され、それぞれ、対応する回転部３００に設けられている。各端子４００は、回転部３００を介して、絶縁部２００に対し突出位置と収納位置との間で回転可能となっている。本実施形態において、各端子４００は、ストリップ状の金属片であり、中間部分が対応する回転部３００に埋設されている。また、各端子４００は、その一端に端縁の断面形状が円弧状に形成された曲部（以下、このような曲部を「カム」と称す）４１０を有し、他端に電源ソケットに挿入できる挿入片４２０が形成されている。各カム４１０の曲げ角度は９０°以上であり、各カム４１０は、対応する切り欠き溝３２０により露出されている。各端子４００は、各収容溝１１０の他端を貫通してハウジング１００の外部まで突出する。一方、各端子４００が収納位置にあるとき、各挿入片４２０は、対応する収容溝１１０内に収納され、この場合、利用者が引き出しやすくするために、挿入片４２０の末端が連結溝１２０の中で露出した状態で収納される。一対の端子４００が突出位置にあるとき、各挿入片４２０は、ハウジング１００から突出した状態になる。突出位置にあるときの挿入片４２０と、収納位置にあるときの挿入片４２０とは、垂直になることが好ましい。 
【００１８】
本実施形態において、各電極５００は、ストリップ状の金属片であり、各端子４００に対応して絶縁部２００に設けられている。各電極５００の両側には、一対の挟持爪５１０が延設されており、挟持爪５１０と端子４００とが接触して電気的導通を実現する。端子４００が回転する際、挟持爪５１０はカム４１０を持続的に挟持することができて、端子４００と電極５００との電気的導通を持続的に維持することができる。
【００１９】
図７乃至図９は、本発明の第二の実施形態に係る電源プラグを示し、その電源プラグは、ハウジング１００、絶縁部２００、一対の回転部３００、一対の端子４００及び一対の電極５００を備えている。
【００２０】
本実施形態において、ハウジング１００はプラスチック製の絶縁ケースであることが好ましい。ハウジング１００の外表面には、平行並列した一対の収容溝１１０、及び一対の収容溝１１０に繋がっている連結溝１２０が形成されている。本実施形態において、連結溝１２０の両端は、それぞれ各収容溝１１０の一端と連通することが好ましい。
【００２１】
本実施形態において、絶縁部２００は、プラスチック製のホルダーであることが好ましく、ハウジング１００の中に設けられている。
【００２２】
本実施形態において、回転部３００はプラスチック製のホルダーであることが好ましく、各回転部３００には、凸軸３１０が凸設され、且つ、切り欠き溝３２０が形成されている。各回転部３００は、自体に形成されている凸軸３１０を介して絶縁部２００に枢設される。一対の回転部３００は、その間が連結ロッド３０１により連結されて、連動回転することができる。
【００２３】
一対の端子４００は、互いに平行し間隔を空けて配置され、それぞれ、対応する回転部３００に設けられている。各端子４００は、回転部３００を介して、突出位置と収納位置との間で絶縁部２００に対し回転可能となっている。本実施形態において、各端子４００は、ストリップ状の金属片であり、中間部分が対応する回転部３００に埋設されている。また、各端子４００の一端には、カム４１０が形成され、且つフランジ４３０が延設されている。カム４１０とフランジ４３０とは、隣接して形成されており、各端子４００の他端には、電源ソケットに挿入できる挿入片４２０が形成されている。各カム４１０の曲げ角度は９０°以上であり、各カム４１０は、対応する切り欠き溝３２０により露出されている。各端子４００は、各収容溝１１０の他端を通ってハウジング１００の外部まで突出する。一方、各端子４００が収納位置にあるとき、各挿入片４２０は、対応する収容溝１１０内に収納され、この場合、利用者が引き出しやすくするために、挿入片４２０の末端が連結溝１２０の中ですこし露出した状態で収納される。一対の端子４００が突出位置にあるとき、各挿入片４２０は、ハウジング１００から突出した状態になる。突出位置にあるときの挿入片４２０と、収納位置にあるときの挿入片４２０は、垂直になることが好ましい。 
【００２４】
本実施形態において、各電極５００は、ストリップ状の金属片であり、各端子４００に対応して絶縁部２００に設けられている。各電極５００には、両側に一対の挟持爪５１０が延設され、且つ、弾性片５２０が延設されており、挟持爪５１０と端子４００とが接触して電気的導通を実現する。端子４００が回転する際、挟持爪５１０はカム４１０を持続的に挟持することができて、端子４００と電極５００との電気的導通を持続的に維持することができる。端子４００が収納位置にあるとき、各端子４００は対応する弾性片５２０と分離するようになっており、端子４００が突出位置にあるとき、各端子４００のフランジ４３０は対応する弾性片５２０を押圧するようになって、これにより、端子４００と電極５００との接触抵抗が低減される。
【００２５】
本発明の電源プラグによれば、その電極５００が挟持爪５１０を有し、挟持爪５１０により端子４００のカム４１０を挟持している。これにより、端子４００が回転される場合であっても、端子４００と電極５００との電気的接続を維持することができて、電源プラグが緩んだ場合でも、端子４００の回転のため導通が遮断されることなく、端子４００と電極５００とが導通する瞬間に火花が出ることもない。
【００２６】
本発明は、上述した各実施形態に限定されるものではなく、請求項に示した範囲で種々の変更が可能であり、異なる形態例にそれぞれ開示された技術的手段を適宜組み合わせて得られる実施形態についても、本発明の技術的範囲に含まれる。
【符号の説明】
【００２７】
１００    ハウジング
１１０    収容溝
１２０    連結溝
２００    絶縁部
３００    回転部
３０１    連結ロッド
３１０    凸軸
３２０    切り欠き溝
４００    端子
４１０    カム
４２０    挿入片
４３０    フランジ
５００    電極
５１０    挟持爪
５２０    弾性片
【図１】
0006027174.tif 000002
【図２】
0006027174.tif 000003
【図３】
0006027174.tif 000004
【図４】
0006027174.tif 000005
【図５】
0006027174.tif 000006
【図６】
0006027174.tif 000007
【図７】
0006027174.tif 000008
【図８】
0006027174.tif 000009
【図９】
0006027174.tif 000010